(57)【要約】【課題】凸型掛止部にレジ袋の持ち手部を掛けてごみの収容部とするごみ入れにおいて、ごみの重さでレジ袋が押し下げられた場合もレジ袋の開口部幅を広げた状態に保持する手段を提供する【解決手段】凸型掛止部２にレジ袋４の持ち手部を掛けてレジ袋を開口部が開いた状態に保持してごみの収容部とする既存のごみ入れに対して、揺動可能につるした重り３を垂直に下ろした場合は該ごみ入れの対の掛止部２に挟まれたほぼ長方形の範囲６と、前述の範囲６を掛止部２を越えて両側に拡張してできる帯状範囲７とを合わせた範囲以外の位置になり、かつ、該重り３を水平方向に伸ばした場合は前述の範囲６に到達可能な位置に取り付け、ごみ入れに掛けたレジ袋の開口部内に該重り３を落とし込むことでレジ袋開口部を押し広げ、その状態を保つ。【選択図】図１
2010260657.tif 000002
【特許請求の範囲】
【請求項１】
相対向する位置に設けられた対となる凸型掛止部にレジ袋の２か所の持ち手部を掛けて、レジ袋を開口部が開いた状態に保持してごみの収容部とする既存のごみ入れに対して、揺動可能につるした重りを、垂直に下ろした場合は上面図において該ごみ入れが有するレジ袋１枚を掛けるための相対向する掛止部に挟まれたほぼ長方形の範囲と、前述のほぼ長方形の範囲を掛止部を越えて両側に拡張してできる帯状範囲とを合わせた範囲以外の位置になり、かつ、該重りを水平方向に伸ばした場合は前述のほぼ長方形の範囲に到達可能な位置に取り付けたごみ入れ。
【請求項２】
相対向する位置に設けられた対となる凸型掛止部にレジ袋の２か所の持ち手部を掛けて、レジ袋を開口部が開いた状態に保持してごみの収容部とする既存のごみ入れに対して、ごみ入れ自体を改造することなく請求項１のごみ入れの重りと同等の位置に揺動可能につるした重りを取り付ける支持具であって、棒状の支持体と、該支持体に１５ｃｍ以上の間隔を開けて揺動可能につるした重り２個と、該支持体上の２点をひも状部材でつないで形成したごみ入れ掛止部に掛けるためのループからなる支持具であり、揺動可能につるした重り２個の最も接近させた場合の間隔は７ｃｍ以下であり、前述のループから各重りまでの距離が同じである支持具
【発明の詳細な説明】
【技術分野】
【０００１】
本発明は、相対向する位置に設けられた対となる凸型掛止部にレジ袋の２か所の持ち手部を掛けて、レジ袋を開口部が開いた状態に保持してごみの収容部とするごみ入れに関するものである。
【背景技術】
【０００２】
商店等で物品購入時に渡されるレジ袋は、物品輸送に使用した後、ごみ袋として使用されることが多い。その場合、単にごみを廃棄する際に入れる袋にする、ごみ箱の中に敷くという使い方の他に、レジ袋自体をごみ入れとして用いることも多い。そのため、レジ袋を広げた状態に保持する様々なごみ入れが考案されている。
【０００３】
レジ袋を広げた状態に保持するごみ入れの中で普及しているものに、相対向する位置に設けられた対となる凸型掛止部にレジ袋の２か所の持ち手部を掛けて、レジ袋を開口部が開いた状態に保持してごみの収容部とするごみ入れがある。
【０００４】
単にフックなどに掛けたレジ袋にごみを入れた場合、ごみの重さで押し下げられるとレジ袋の開口部は縮まり、ほとんど閉じた状態になってしまう。しかし、該ごみ入れではレジ袋の持ち手部の穴に該ごみ入れの凸型の掛止部が挿入されるため、レジ袋の開口部はごみの重さでレジ袋が押し下げられた場合も、長さが該ごみ入れの相対向する位置にある対の掛止部の間隔で、幅が該ごみ入れの掛止部の長さのほぼ長方形に保たれる。
【０００５】
ただし、レジ袋持ち手部の穴に対してその内周より長い外周の掛止部は挿入できないので、該ごみ入れの掛止部の長さは、掛止部の厚さを無視してもレジ袋持ち手部の穴の内周の１／２以下でなければならない。商店等で渡される一般的な大きさのレジ袋の持ち手部の穴の内周の１／２の長さは、１２〜１８ｃｍ程度であり、これが該ごみ入れの掛止部の長さの上限になる。しかし、該ごみ入れの掛止部の長さは、実際には掛止部の厚さの分を短くする必要があり、レジ袋を掛け外しするための余裕を持たせる必要があり、様々なレジ袋を使用可能にするために下限側のレジ袋の寸法に合わせる必要がある。これらの理由から、該ごみ入れの掛止部は短く作られている。
【０００６】
掛止部が１対だけの実際の該ごみ入れの掛止部の長さは最長でも１０ｃｍ以下であり、一般的には８〜９ｃｍである。つまり、掛止部が１対の該ごみ入れに掛けたレジ袋の開口部は、中に入れたごみの重さで押し下げられると、一般的には幅が８〜９ｃｍ程度の細長いほぼ長方形になる。
【０００７】
該ごみ入れには、長さの短い掛止部を複数対有し、レジ袋の持ち手部の１つの穴に対して複数の短い掛止部を挿入する方式のものもある。しかし、１つの穴に挿入される複数の短い掛止部は、その掛止部間の隙間を含めた合計長の掛止部と同じであり、長さについては１対の掛止部を持つ該ごみ入れの掛止部と同じ制約を受ける。
【０００８】
該ごみ入れには、空の時にごみ収容部であるレジ袋の開口部幅を広げておいても、ごみの重さでレジ袋が押し下げられると、レジ袋の開口部幅がごみ入れのごみ投入口の幅としては不十分な該ごみ入れの掛止部の長さになってしまい、ごみが入れづらくなるという問題点があった。
【０００９】
レジ袋の持ち手部の１つの穴に対して複数の短い掛止部を挿入する方式の該ごみ入れは、通常、１つのごみ入れにレジ袋数枚分の掛止部が設けられており、掛けるレジ袋の枚数を１枚から数枚の間で選択できるように作られている。複数のレジ袋を掛けた場合、ごみを入れる開口部面積が合計で大きくなる、ごみを分別して収納できるという利点がある。しかし、個々のレジ袋について見れば前述の問題点があることは変わらない。
【００１０】
該ごみ入れについては、枠部材を交叉状に組み合わせ、上部横杆に袋の掛止部を設け、レジ袋の持ち手部を掛止部に引っかけて袋を開口吊り状態として使用するという該ごみ入れの基本的な構造を要件に持つごみ入れが「ごみ袋の掛具」（特許文献１参照）として考案されている。
【００１１】
また、以下の考案も凸形掛止部にレジ袋の持ち手部を掛けてレジ袋を開口部が開いた状態に保持するごみ入れである。「ゴミ袋掛け式ダストスタンド」（特許文献２参照）は掛止部を複数設ける様式の該ごみ入れ、「ゴミ袋用スタンド」（特許文献３参照）は重ねることができるようにした該ごみ入れ、「分別リサイクルホルダー」（特許文献４参照）は遮蔽板を取り付けることで安定させる該ごみ入れである。「ごみ箱」（特許文献５参照）の請求項３では先すぼみの形状の掛止部を有する該ごみ入れが提案されている。
【００１２】
しかし、凸形掛止部にレジ袋の持ち手部を掛けてレジ袋を開口部が開いた状態に保持する方式のごみ入れにおいて、レジ袋の開口部幅をごみ入れの凸形掛止部の長さを越えて広げた状態に保つ考案はなかった。
【００１３】
なお、「買物袋用ごみ箱」（特許文献６参照）では、本体が箱状で側面の角部分に切り込み状の掛止部を設け、凸形の掛止部の代わりに切り込みにレジ袋の持ち手部を掛ける類似した考案も提案されている。しかし、使用できるレジ袋が大きい場合は単に中に敷くのと変わらず、小さい場合はレジ袋の開口部の幅が切り込み幅になってしまうという問題点がある。
【００１４】
他に、レジ袋をごみ入れに使用する方法として、筒状のごみ入れ上部にレジ袋上部を挟む構造を持ち内袋として使用するごみ入れが多数考案されているが、ごみ入れ本体より大きいレジ袋を使用してもごみ入れ本体容積のごみまでしか入れられないという問題点や、ごみを詰め込んでしまった場合にレジ袋が取り出しづらくなるという問題点がある。
【先行技術文献】
【特許文献】
【００１５】
【特許文献１】実開昭６１−１０７７０８号公報
【特許文献２】特開２０００−２８９８０１号公報
【特許文献３】特開２００１−１３０７０４号公報
【特許文献４】特開２００６−１６８９８５号公報
【特許文献５】特開平０８−２８２８０２号公報
【特許文献６】特開平０６−２５５７０２号公報
【発明の概要】
【発明が解決しようとする課題】
【００１６】
従来より、相対向する位置に設けられた対となる凸型掛止部にレジ袋の２か所の持ち手部を掛けて、レジ袋を開口部が開いた状態に保持してごみの収容部とする既存のごみ入れは公知であり、フレーム状や箱状の様々なごみ入れが考案されている。しかし、いずれの考案にもレジ袋の開口部幅を該ごみ入れの掛止部の長さを越えて広げて保持する機構は無く、また、該ごみ入れの掛止部の長さはレジ袋持ち手部の穴の大きさに制約される。該ごみ入れにおいては、ごみの重さでレジ袋が押し下げられると、レジ袋の開口部幅がごみ入れのごみ投入口の幅としては不十分な該ごみ入れの掛止部の長さになり、ごみが入れづらくなるという問題点は解消されていない。
【００１７】
本発明は、上記従来技術の問題点を解決することを課題とする。より特定すれば、本発明は相対向する位置に設けられた対となる凸型掛止部にレジ袋の２か所の持ち手部を掛けて、レジ袋を開口部が開いた状態に保持してごみの収容部とするごみ入れにおいて、中に入れたごみでレジ袋が押し下げられた場合でも、レジ袋の開口部幅がごみ入れのごみ投入口の幅としては不十分な該ごみ入れの掛止部の長さになることなく、レジ袋の開口部幅を該ごみ入れの掛止部の長さより長い状態に保つことを課題とする。
【課題を解決するための手段】
【００１８】
上記課題を解決するために、本発明は相対向する位置に設けられた対となる凸型掛止部にレジ袋の２か所の持ち手部を掛けて、レジ袋を開口部が開いた状態に保持してごみの収容部とする既存のごみ入れに対して、揺動可能につるした重りを、垂直に下ろした場合は上面図において該ごみ入れが有するレジ袋１枚を掛けるための相対向する掛止部に挟まれたほぼ長方形の範囲と、前述のほぼ長方形の範囲をごみ入れの掛止部を越えて両側に拡張してできる帯状範囲とを合わせた範囲以外の位置になり、かつ、該重りを水平方向に伸ばした場合は前述のほぼ長方形の範囲に到達可能な位置に取り付けたごみ入れである。ごみ入れに掛けたレジ袋の開口部内に揺動可能につるした重りを落とし込むことで、レジ袋の開口部幅はごみ入れの掛止部の長さを超えて押し広げられ保持される。  
【００１９】
本発明請求項２の支持具は、相対向する位置に設けられた対となる凸型掛止部にレジ袋の２か所の持ち手部を掛けて、レジ袋を開口部が開いた状態に保持してごみの収容部とする既存のごみ入れに対して、ごみ入れ自体を改造することなく請求項１のごみ入れの重りと同等の位置に揺動可能につるした重りを取り付ける支持具である。
【００２０】
なお、本発明請求項２の支持具は、レジ袋を掛けることのできる該ごみ入れであれば取り付け可能であり、掛止部が１対だけの該ごみ入れだけでなく、レジ袋の持ち手部の１つの穴に対して複数の短い掛止部を挿入する方式の該ごみ入れにも使用できる。
【００２１】
また、請求項２の本発明の支持具は、該ごみ入れのレジ袋の１か所の持ち手部を掛けるための掛止部に対して１個掛けて使用するものであり、該ごみ入れ１個に対して本発明の支持具を２個使用することで、レジ袋の開口部は両側均等に広げられる。
【発明の効果】
【００２２】
以上説明したように本発明を用いると、相対向する位置に設けられた対となる凸型掛止部にレジ袋の２か所の持ち手部を掛けて、レジ袋を開口部が開いた状態に保持してごみの収容部とするごみ入れにおいて、ごみの重さでレジ袋が押し下げられた場合でも、レジ袋の開口部幅がごみ入れのごみ投入口の幅としては不十分な該ごみ入れの掛止部の長さになることがなく、ごみが入れづらくなることを防止できる。
【図面の簡単な説明】
【００２３】
【図１】本発明のごみ入れの実施例１の斜視図である。
【図２】レジ袋の斜視図である。
【図３】本発明のごみ入れの実施例１の上面図であり、本発明のごみ入れの重りの取り付け位置を限定するための範囲を示した図である。
【図４】レジ袋の２ヶ所の持ち手部を掛けるための１対の凸形掛止部を相対する位置に有する既存のごみ入れの斜視図である。
【図５】本発明のごみ入れの実施例２の斜視図である。
【図６】レジ袋の２ヶ所の持ち手部を掛けるための長さの短い複数対の凸形掛止部を相対する位置に有する既存のごみ入れの斜視図である。
【図７】本発明請求項２の支持具の実施例３の正面図である。
【図８】既存のごみ入れに本発明請求項２の実施例３の支持具を用いた実施形態の斜視図である。
【図９】本発明請求項２の実施例４の支持具の正面図である。
【図１０】既存のごみ入れに本発明請求項２の実施例４の支持具を用いた実施形態の写真である。
【発明を実施するための形態】
【００２４】
相対向する位置に設けられた対となる凸型掛止部にレジ袋の２か所の持ち手部を掛けて、レジ袋を開口部が開いた状態に保持してごみの収容部とするごみ入れにおいて、ごみの重さでレジ袋が押し下げられた場合でも開口部幅が狭くならず、ごみが入れづらくならないごみ入れを単純な構造で実現した。
【実施例１】
【００２５】
以下に、本発明の一実施形態を図面に基づいて説明する。図１は、本発明請求項１のレジ袋をごみの収容部とするごみ入れの実施例１の斜視図である。図１ａはレジ袋を掛ける前の状態の斜視図であり、図１ｂは図２のレジ袋４を掛けた状態の斜視図である。図１の実施例１のごみ入れでは、相対向する位置に設けられた１対の凸型掛止部２にレジ袋４の２か所の持ち手部の穴５を掛けた後、レジ袋開口部内に重り３を落とし込むことでレジ袋４の開口部は更に押し広げられ、図１ｂの状態に保持される。
【００２６】
図３は、本発明請求項１の実施例１のごみ入れの上面図である。図３では４個の重り３の内の右下の１個の重りのみ水平方向に伸ばした状態で、残りの３個は垂直に下ろした状態で示している。また、重り３の取り付け位置を限定するための範囲については斜線で示している。
【００２７】
図３中央部の右下がり斜線の範囲６は、該ごみ入れが有するレジ袋１枚を掛けるための相対向する掛止部２に挟まれたほぼ長方形の範囲であり、範囲６の両側の左下がり斜線の範囲７は前述のほぼ長方形の範囲６を該ごみ入れの掛止部を越えて両側に拡張してできる帯状範囲である。また、左下がり斜線の範囲８の４つの円は、中心が水平面上の重り３の取り付け位置で、半径が重りの取り付け位置から重りの端までの距離の円であり、ごみ入れに揺動可能につるした重り３が到達可能な範囲である。
【００２８】
本発明の実施例１のごみ入れの揺動可能につるした重り３の取り付け位置は、図３の上面図において範囲６と範囲７以外の位置であり、かつ、範囲８が範囲６に達する位置となる。
【００２９】
図４は既存のごみ入れの斜視図であり、図１の本発明の実施例１のごみ入れとは重り３が無いという点のみ異なる。図４ａはレジ袋を掛ける前の状態の斜視図であり、図４ｂは図２のレジ袋４を掛けた状態の斜視図である。図４ａの既存のごみ入れに掛けたレジ袋の開口部幅は図４ｂのように掛止部２の長さになる。
【実施例２】
【００３０】
以下に、本発明の別の実施形態を図面に基づいて説明する。図５は、本発明請求項１のレジ袋をごみの収容部とするごみ入れの実施例２の斜視図である。図５ａはレジ袋を掛ける前の状態の斜視図であり、図５ｂは図２のレジ袋４を１枚掛けた状態の斜視図である。図５の実施例２のごみ入れは、レジ袋の持ち手部を掛けるための４対の長さの短い凸形掛止部２を相対向する位置に有し、レジ袋１枚を掛けるために２対の掛止部を用いるごみ入れにおける本発明の実施形態である。
【００３１】
図６は既存のごみ入れの斜視図であり、図５の本発明の実施例２のごみ入れとは重り３が無いという点のみ異なる。図６ａはレジ袋を掛ける前の状態の斜視図であり、図６ｂは図２のレジ袋４を１枚掛けた状態の斜視図であり、図６ｃはレジ袋４を２枚掛けた状態の斜視図である。図６の既存のごみ入れに掛けたレジ袋の開口部幅は図６ｂ、図６ｃのように短い掛止部２個とその隙間をつなげた長さになる。
【００３２】
図５の本発明の実施例２のごみ入れと図６の既存のごみ入れは、レジ袋を１枚掛けることも２枚掛けることも可能なごみ入れである。ただし、図５の本発明の実施例２のごみ入れにレジ袋を１枚掛ける場合だけは、レジ袋４の開口部内に重り３を落とし込むことでレジ袋４の開口部は更に押し広げられ、図５ｂの状態に保持される。
【実施例３】
【００３３】
以下に、本発明の別の実施形態を図面に基づいて説明する。図７は本発明請求項２の支持具の実施例３の正面図である。図８は図４の既存のごみ入れに対して、実施例３の支持具を使用した実施形態の斜視図である。図８ａは図４の既存のごみ入れの１対の掛止部２に対して図７の実施例３の支持具を１個づつ掛けた状態の斜視図であり、図８ｂは図８ａの状態のごみ入れに対して図２のレジ袋４を掛けた状態の斜視図である。ごみ入れに掛けたレジ袋４の開口部内に実施例３の支持具の重り３を落とし込むことで、レジ袋４の開口部は更に押し広げられ、図８ｂの状態に保持される。
【００３４】
本発明請求項２の支持具は、相対向する位置に設けられた対となる凸型掛止部にレジ袋の２か所の持ち手部を掛けて、レジ袋を開口部が開いた状態に保持してごみの収容部とする既存のごみ入れに対して、ごみ入れ自体を改造することなく請求項１のごみ入れの重りと同等の位置に揺動可能につるした重りを取り付ける支持具である。
【００３５】
本発明請求項２の支持具の２個の重り３は、ループ１１から各重りまでの距離が同じになるように棒状の支持体９に取り付けられている。そのため、図８ａのように既存のごみ入れの掛止部２にループ１１を掛けて本発明請求項２の支持具を取り付けると、ごみ入れの掛止部２は２個の重り３のほぼ中央に位置することになる。言いかえると、２個の重り３はごみ入れの掛止部４からほぼ同じ距離だけ離れた位置に取り付けられることになる。また、２個の重り３の取り付け間隔は１５ｃｍ以上であり、最長でも１０ｃｍ以下である実際のごみ入れの掛止部よりも充分に長い。
【００３６】
つまり、本発明請求項２の支持具を既存のごみ入れの掛止部２に取り付けた場合、２個の重り３が既存のごみ入れの掛止部４の内側の位置になることはない。２個の重り３は、相対向する掛止部に挟まれたほぼ長方形の範囲と、前述のほぼ長方形の範囲を掛止部を越えて両側に拡張してできる帯状範囲とを合わせた範囲以外の位置に取り付けられる。
【００３７】
また、実施例３の支持具の揺動可能につるした２個の重り３の最も接近させた場合の間隔は７ｃｍ以下であり、掛止部が１対の既存のごみ入れの実際の掛止部長さの８〜９ｃｍよりも短い。そのため、既存のごみ入れの掛止部２を挟む位置に取り付けられた２個の重り３は、互いに水平方向に伸ばして最短距離になるまで近づけると相対向する掛止部に挟まれた範囲に達する。
【００３８】
相対向する位置に設けられた対となる凸型掛止部にレジ袋の２か所の持ち手部を掛けて、レジ袋を開口部が開いた状態に保持してごみの収容部とする既存のごみ入れに対して、実施例３の支持具を用いると、揺動可能につるした重りが既存のごみ入れに対して請求項１のごみ入れの重りと同等の位置に取り付けられる。
【実施例４】
【００３９】
以下に、本発明の別の実施形態を図面に基づいて説明する。図９は本発明請求項２の支持具の実施例４の正面図である。実施例４の支持具は、実施例３の支持具に対して、ごみ入れ掛止部４に掛けるためのループ１０の長さ調節機構を追加したものである。ループ１０の長さを調節することでごみ入れに対する支持具全体の高さが調節され、結果としてごみ入れに掛けたレジ袋に対する重り３の高さが調節される。実施例４の支持具では、掛止部の形状などに影響されずに重りを最適な高さに調節することができる。
【００４０】
図１０は本発明請求項２の図９の実施例４の支持具を実際に用いたごみ入れの写真である。図１０ａは既存のごみ入れにレジ袋を掛けた状態の写真であり、図１０ｂは図１０ａのごみ入れの１対の掛止部に実施例４の支持具を１個づつ取り付けてからレジ袋を掛けた状態の写真である。ごみの重さでレジ袋が押し下げられた状態を再現するため、ごみの代わりに図１０ａのレジ袋には単三乾電池２本：約５０ｇ、図１０ｂのレジ袋には単一乾電池２本：約２６０ｇを入れている。
【００４１】
既存のごみ入れの図１０ａではレジ袋の開口部幅を広げておいても、レジ袋に約５０ｇの物を入れただけで、レジ袋の開口部幅は該ごみ入れの掛止部の長さになった。しかし、本発明の支持具を使用した図１０ｂでは、約２６０ｇの物を入れてもレジ袋開口部幅は広げられた状態に保たれた。
【産業上の利用可能性】
【００４２】
商店等で物品購入時に渡されるレジ袋を開口部を開いた状態で保持してごみの収容部として用いるごみ入れに適用できる。
【符号の説明】
【００４３】
１      ごみ入れの本体フレーム
２      ごみ入れの掛止部
３      重り
４      レジ袋
５      レジ袋持ち手部の穴
６      相対向するごみ入れ掛止部に挟まれた範囲
７      相対向するごみ入れ掛止部に挟まれた範囲を掛止部を越えて両側に拡張してできる帯状範囲
８      揺動可能につるした重りの到達可能な円形の範囲
９      棒状の支持体
１０    棒状の支持体上の２点をひも状部材でつないで形成したごみ入れ掛止部に掛けるためのループ
１１    棒状の支持体上の２点をひも状部材でつないで形成したごみ入れ掛止部に掛けるためのループの長さ調整用の留め具
【図１】
2010260657.tif 000003
【図２】
2010260657.tif 000004
【図３】
2010260657.tif 000005
【図４】
2010260657.tif 000006
【図５】
2010260657.tif 000007
【図６】
2010260657.tif 000008
【図７】
2010260657.tif 000009
【図８】
2010260657.tif 000010
【図９】
2010260657.tif 000011
【図１０】
2010260657.tif 000012